(57)【要約】  部屋の側壁の上部または天井に設置される空気調和機であって、筺体と、熱交換器（３８）から滴化したドレン水を受けるドレンパンユニット（５０）とを備える。筺体の高さをｈ［ｍｍ］とし、筺体の横幅をＷ［ｍｍ］とすると、Ｗ≧４×ｈの関係が成立する。ドレンパンユニット（５０）は凹溝部（５４）とドレン配管部（５５）とを含む。凹溝部（５４）の表面部分は、筺体の左右方向両端の位置で上下方向の高さが最も高くなり且つ中央寄りの位置で上下方向の高さが最も低くなる略Ｖ字状の形状を呈する。ドレン配管部（５５）の第１端部（５５Ａ）は、筺体の左右方向における中央寄りの位置にて凹溝部（５４）に接続され、ドレン配管部（５５）は筺体の左右方向における中央寄りの位置で第１端部（５５Ａ）から背面側に向かって延びている。設置誤差の許容範囲を確保し、配管を効率よく取り回しすることが可能となる。
2019016981.tif 000002
【特許請求の範囲】
【請求項１】
部屋の側壁の上部または天井に設置される空気調和機であって、
前記天井に面するように配置される上面と、床面側に位置する下面と、前記側壁側に配置される背面と、前記背面とは反対側に位置する前面と、前記背面から前記前面に向かって右側に位置する右面と、前記背面から前記前面に向かって左側に位置する左面と、を有する筺体と、
前記筺体の内部に配置された送風機と、
前記送風機の前方または前方上方に配置され、室外熱交換器に接続される熱交換器と、
前記熱交換器の下方に設けられ、前記熱交換器から滴化したドレン水を受けるドレンパンユニットと、を備え、
前記筺体の高さをｈ［ｍｍ］とし、前記筺体の横幅をＷ［ｍｍ］とすると、Ｗ≧４×ｈの関係が成立しており、
前記ドレンパンユニットは、
前記熱交換器の長手方向に沿って延在する形状を有し、前記熱交換器からのドレン水を受ける凹溝部と、
第１端部および第２端部を有し、前記第１端部が前記凹溝部に接続され、前記第２端部が室外に連通し、前記凹溝部が受けたドレン水を前記第１端部および前記第２端部を通過させて排出するドレン配管部と、を含み、
前記凹溝部のうち、前記熱交換器に対向するように配置されて前記熱交換器からのドレン水を受ける表面部分は、前記筺体の左右方向における両端の位置で上下方向の高さが最も高くなり且つ前記筺体の左右方向における中央寄りの位置で上下方向の高さが最も低くなる略Ｖ字状の形状を呈しており、
前記ドレン配管部の前記第１端部は、前記筺体の左右方向における前記中央寄りの位置にて前記凹溝部に接続されており、
前記ドレン配管部は、前記筺体の左右方向における前記中央寄りの位置で前記第１端部から前記背面側に向かって延びている、
空気調和機。
【請求項２】
前記熱交換器は、
前記筺体の内部の前記左面側の位置に配置される左側熱交換器と、
前記筺体の内部の前記右面側の位置に配置される右側熱交換器と、を含み、
前記左側熱交換器と前記右側熱交換器とは、左右方向において相互に並んで配置されており、
前記左側熱交換器は、前記左側熱交換器の右側の位置に、前記室外熱交換器に接続される第１冷媒管配管部を有しており、
前記右側熱交換器は、前記右側熱交換器の左側の位置に、前記室外熱交換器に接続される第２冷媒管配管部を有しており、
前記第１冷媒管配管部と前記第２冷媒管配管部とは、前記筺体の左右方向における前記中央寄りの位置で合流しているかまたは相互に束ねられて前記背面側に向かって延びている、
請求項１に記載の空気調和機。
【請求項３】
前記ドレン配管部、前記第１冷媒管配管部および前記第２冷媒管配管部は、前記筺体の左右方向における前記中央寄りの位置で束ねられて前記背面側に向かって延びている、
請求項２に記載の空気調和機。
【発明の詳細な説明】
【技術分野】
【０００１】
本明細書は、部屋の側壁の上部または天井に設置される空気調和機に関する。本出願は、２０１７年７月２０日に出願した日本特許出願である特願２０１７−１４０９９７号に基づく優先権を主張する。当該日本特許出願に記載された全ての記載内容は、参照によって本明細書に援用される。
【背景技術】
【０００２】
下記特許文献１〜９は、空気調和機（いわゆるエアコン）に関する技術を開示している。特許文献９には、平面視で略長方形状を有している空気調和機が開示されている。同文献に開示されているように、空気調和機は一般的に、ドレンパンを備えている。熱交換器から滴下したドレン水は、ドレンパンによって受け止められたのち、ドレン配管を通して外部に排出される。
【先行技術文献】
【特許文献】
【０００３】
【特許文献１】特許第３１４１８６７号公報
【特許文献２】特開２０１５−１６９３８９号公報
【特許文献３】特開２０１６−０９９０９０号公報
【特許文献４】特開２０１６−１８３７９４号公報
【特許文献５】特許第４９３２９１６号公報
【特許文献６】特開２０１２−０６３１３３号公報
【特許文献７】特許第４６０４５３６号公報
【特許文献８】特開２００５−３１５５３８号公報
【特許文献９】特開２０１３−１０４５９２号公報
【発明の概要】
【発明が解決しようとする課題】
【０００４】
平面視で略長方形状を有している空気調和機においては、筺体の高さに対する筺体の横幅が大きくなりやすく、ドレン水の排出が困難になやすい。すなわち、一般的には空気調和機の左端または右端にドレン配管が設けられる。ドレンパンの上下方向の高さ位置は、空気調和機の左端側および右端側のどちらか一方において高くなるように設定され、どちらか他方において低くなるように設定される。ドレンパンは、左端側と右端側との間の部分が直線状に傾斜するように構成され、ドレン配管は、ドレンパンの低く設定された部分に接続される。【０００５】
たとえば、筺体の高さが２５ｃｍ未満、筺体の横幅が１ｍ以上といった長尺状の構成を有する空気調和機においては、左端と右端との間の上下方向における高低差が小さくなるとともに、左端と右端との間の距離も長くなる。これに伴って、ドレンパンの傾斜もゆるやかになる（水平に近づく）。たとえば、空気調和機の設置の際に空気調和機（ドレンパン）が少し傾いた状態で設置された場合、ドレンパンで受けたドレン水を滞りなくすみやかに室外に排出することが困難となる可能性がある。つまり、上記のような構成を備えた空気調和機においては、設置誤差の許容範囲が小さくなりやすい。【０００６】
また、空気調和機の左端または右端にドレン配管が設けられる場合には、ドレン配管や冷媒管配管の取り回しに無駄が生じやすい。たとえば、配管が筺体の右側から取り出されるという空気調和機が考えられる。このような空気調和機が、筺体の左側が部屋の壁面に隣接するように設置された場合には、空気調和機のたとえば背面側において筺体の右側から左側に至るまで配管を這わせる必要が生じる。空気調和機の横幅が１ｍ以上である場合、配管に必要な長さもその横幅分だけ長くなり、製品や設置のコストがかさむのみならず、銅やアルミなどの貴重な地球資源が浪費されることとなる。【０００７】
本明細書は、設置誤差の許容範囲を十分に確保できるとともに、配管を効率よく取り回しすることが可能な構成を備えた空気調和機を開示することを目的とする。
【課題を解決するための手段】
【０００８】
本明細書に開示される空気調和機は、部屋の側壁の上部または天井に設置される空気調和機であって、上記天井に面するように配置される上面と、床面側に位置する下面と、上記側壁側に配置される背面と、上記背面とは反対側に位置する前面と、上記背面から上記前面に向かって右側に位置する右面と、上記背面から上記前面に向かって左側に位置する左面と、を有する筺体と、上記筺体の内部に配置された送風機と、上記送風機の前方または前方上方に配置され、室外熱交換器に接続される熱交換器と、上記熱交換器の下方に設けられ、上記熱交換器から滴化したドレン水を受けるドレンパンユニットと、を備え、上記筺体の高さをｈ［ｍｍ］とし、上記筺体の横幅をＷ［ｍｍ］とすると、Ｗ≧４×ｈの関係が成立しており、上記ドレンパンユニットは、上記熱交換器の長手方向に沿って延在する形状を有し、上記熱交換器からのドレン水を受ける凹溝部と、第１端部および第２端部を有し、上記第１端部が上記凹溝部に接続され、上記第２端部が室外に連通し、上記凹溝部が受けたドレン水を上記第１端部および上記第２端部を通過させて排出するドレン配管部と、を含み、上記凹溝部のうち、上記熱交換器に対向するように配置されて上記熱交換器からのドレン水を受ける表面部分は、上記筺体の左右方向における両端の位置で上下方向の高さが最も高くなり且つ上記筺体の左右方向における中央寄りの位置で上下方向の高さが最も低くなる略Ｖ字状の形状を呈しており、上記ドレン配管部の上記第１端部は、上記筺体の左右方向における上記中央寄りの位置にて上記凹溝部に接続されており、上記ドレン配管部は、上記筺体の左右方向における上記中央寄りの位置で上記第１端部から上記背面側に向かって延びている。【０００９】
上記空気調和機において、上記熱交換器は、上記筺体の内部の上記左面側の位置に配置される左側熱交換器と、上記筺体の内部の上記右面側の位置に配置される右側熱交換器と、を含み、上記左側熱交換器と上記右側熱交換器とは、左右方向において相互に並んで配置されており、上記左側熱交換器は、上記左側熱交換器の右側の位置に、上記室外熱交換器に接続される第１冷媒管配管部を有しており、上記右側熱交換器は、上記右側熱交換器の左側の位置に、上記室外熱交換器に接続される第２冷媒管配管部を有しており、上記第１冷媒管配管部と上記第２冷媒管配管部とは、上記筺体の左右方向における上記中央寄りの位置で合流しているかまたは相互に束ねられて上記背面側に向かって延びていてもよい。【００１０】
上記空気調和機において、上記ドレン配管部、上記第１冷媒管配管部および上記第２冷媒管配管部は、上記筺体の左右方向における上記中央寄りの位置で束ねられて上記背面側に向かって延びている。
【発明の効果】
【００１１】
上記の空気調和機によれば、設置誤差の許容範囲を十分に確保できるとともに、配管を効率よく取り回しすることができる。
【図面の簡単な説明】
【００１２】
【図１】実施の形態における空気調和機１００が部屋１０の中に設置されている様子を示す斜視図である。
【図２】実施の形態における空気調和機１００を示す斜視図である。
【図３】図２中のＩＩＩ−ＩＩＩ線に沿った矢視断面図である。
【図４】図２中のＩＶ−ＩＶ線に沿った矢視断面図である。
【図５】実施の形態における空気調和機１００に備えられる送風機３３を示す斜視図である。
【図６】実施の形態における空気調和機１００に備えられる送風機３３に備えられる複数の多翼遠心ファン３５のうちの１つを示す斜視図である。
【図７】実施の形態における空気調和機１００に備えられる送風機３３および熱交換器３８を模式的に示す平面図である。
【図８】実施の形態における空気調和機１００が冷房運転または送風運転の状態を形成している際の様子を示す斜視図である。
【図９】実施の形態における空気調和機１００が冷房運転または送風運転の状態を形成している際の様子を示す側面図である。
【図１０】図３に対応しており、実施の形態における空気調和機１００が冷房運転または送風運転の状態を形成している際の様子を示す断面図である。
【図１１】実施の形態における空気調和機１００によって部屋１０の中で冷房運転または送風運転が行なわれている際の様子を示す斜視図である。
【図１２】実施の形態における空気調和機１００が暖房運転の状態を形成している際の様子を示す斜視図である。
【図１３】実施の形態における空気調和機１００が暖房運転の状態を形成している際の様子を示す側面図である。
【図１４】図３に対応しており、実施の形態における空気調和機１００が暖房運転の状態を形成している際の様子を示す断面図である。
【図１５】実施の形態における空気調和機１００によって部屋１０の中で暖房運転が行なわれている際の様子を示す斜視図である。
【図１６】実施の形態６における空気調和機に備えられる送風機の一部を示す斜視図である。
【図１７】実施の形態７における空気調和機に備えられる送風機を示す平面図である。
【図１８】実施の形態７における空気調和機に備えられる送風機の一部（駆動モーター３４Ａ、多翼遠心ファン３５およびケーシング３６（３６ａ，３６ｂ））を示す正面図である。
【図１９】実施の形態７における空気調和機に備えられる送風機の一部（駆動モーター３４Ａ、多翼遠心ファン３５およびケーシング３６）の正面および上面側の様子を示す斜視図である。
【図２０】実施の形態７における空気調和機に備えられる送風機の一部（駆動モーター３４Ａ、多翼遠心ファン３５およびケーシング３６）の背面および上面側の様子を示す第１斜視図である。
【図２１】実施の形態７における空気調和機に備えられる送風機の一部（駆動モーター３４Ａ、多翼遠心ファン３５およびケーシング３６）の背面および上面側の様子を示す第２斜視図である。
【図２２】実施の形態７における空気調和機に備えられる送風機および熱交換器３８を模式的に示す平面図である。
【図２３】実施の形態８における空気調和機１０１および室外熱交換器２００を示す斜視図である。
【図２４】実施の形態９における空気調和機１０１を示す正面図である。
【図２５】図２３，図２４中のＸＸＶ−ＸＸＶに沿った矢視断面図である。
【図２６】実施の形態８における空気調和機１０１を示す側面図である。
【図２７】実施の形態８における空気調和機１０１の分解した状態を示す斜視図である。
【図２８】実施の形態８における空気調和機１０１に備えられる熱交換器３８およびドレンパンユニット５０の分解した状態を示す斜視図である。
【発明を実施するための形態】
【００１３】
実施の形態について、以下、図面を参照しながら説明する。同一の部品および相当部品には同一の参照番号を付し、重複する説明は繰り返さない場合がある。
【００１４】
［実施の形態１］
図１〜図７を参照して、実施の形態における空気調和機１００の構成について説明する。空気調和機１００の動作については、図８〜図１５を参照して後述する。図１は、空気調和機１００が部屋１０の中に設置されている様子を示す斜視図である。図２は、空気調和機１００を示す斜視図である。図３は、図２中のＩＩＩ−ＩＩＩ線に沿った矢視断面図であり、図４は、図２中のＩＶ−ＩＶ線に沿った矢視断面図である。
【００１５】
図１および図２に示すように、空気調和機１００は、いわゆるエアコン（Air  Conditioner）として用いられる。本実施の形態の空気調和機１００は、図示しない金具などを利用して、筺体２０の背面２３（図３，図４）が側壁１２に固定される。このような固定構造に限られず、金具などを利用して筺体２０の上面２１が部屋１０の天井１１に固定されることで、空気調和機１００は天井１１に設置されてもよい。
【００１６】
図３，図４に示すように、空気調和機１００は、筺体２０、エアフィルター３１、空気清浄フィルター３２、送風機３３、熱交換器３８、および風向調整部４０を備える。
【００１７】
（筺体２０）
筺体２０は、部屋１０の天井１１に面するように配置される上面２１と、床面（図１１における床面１３を参照）側に位置する下面２２と、側壁１２（図１，図１１）側に配置される背面２３と、背面２３とは反対側（すなわち筺体２０の正面側）に位置する前面２４と、筺体２０の長手方向における一端側に配置される側壁２５と、筺体２０の長手方向における他端側に配置される側壁２６と、を有する。
【００１８】
筺体２０の上面２１は、略板状の形状を有しており、筺体２０の上面２１側は閉塞されている。筺体２０の下面２２は、上面２１の反対側に位置しており、下面２２には吸込口２２Ｈ（図３，図４）が形成されている。吸込口２２Ｈは、筺体２０の長手方向に沿うように、略水平な方向に延在している。
【００１９】
背面２３は、上面２１の後端部と下面２２の後端部との間を接続するように設けられ、空気調和機１００が側壁１２に設置された状態では、背面２３は鉛直方向に対して略平行となる。前面２４は、下面２２の前端部から略Ｌ字状に起立するように設けられている。前面２４の前端部２４Ｔ（図３，図４）と上面２１の前端部２１Ｆとの間には、軸支部４１Ｔ，４２Ｔ，４３Ｔおよび熱交換器３８などを配置するための空間が形成されている。
【００２０】
詳細は後述するが、軸支部４１Ｔ，４２Ｔ，４３Ｔは、いずれも棒状に延びる形状を有している。軸支部４１Ｔ，４２Ｔ，４３Ｔは、いずれも図３，図４の紙面に対して垂直な方向に延在しており、軸支部４１Ｔの両端部、軸支部４２Ｔの両端部、軸支部４３Ｔの両端部は、いずれも側壁２５および側壁２６によってそれぞれ固定されている。
【００２１】
前面２４の前端部２４Ｔと上面２１の前端部２１Ｆとの間に上記のような軸支部４１Ｔ，４２Ｔ，４３Ｔが配置されていることによって、前面２４の前端部２４Ｔと上面２１の前端部２１Ｆとの間の空間が区画され、筺体２０の前面側の空間（開口２７）には、前側上部開口２８と前側下部開口２９とが形成されている。
【００２２】
（エアフィルター３１および空気清浄フィルター３２）
図３，図４に示すように、エアフィルター３１および空気清浄フィルター３２は、筺体２０の内部に設けられる。エアフィルター３１は、吸込口２２Ｈの上方において吸込口２２Ｈを覆うように配置されている。空気清浄フィルター３２は、エアフィルター３１の上方に配置されている。空気清浄フィルター３２は、たとえばＨＥＰＡフィルターから構成されている。
【００２３】
（送風機３３および熱交換器３８）
図３，図４に示すように、送風機３３は、空気清浄フィルター３２の上方に配置され、熱交換器３８は、送風機３３の前方に配置される。このような構成に限られず、熱交換器３８は、送風機３３の前方上方に配置されていてもよい。図５は、送風機３３を示す斜視図である。図３〜図５に示すように、送風機３３は、駆動モーター３４と、複数の多翼遠心ファン３５（３５ａ〜３５ｄ）と、回転軸３７とを含む。
【００２４】
複数の多翼遠心ファン３５（３５ａ〜３５ｄ）は、駆動モーター３４に回転軸３７を介して連結されており、駆動モーター３４と同軸状となるように、水平方向に並んで配置されている。本実施の形態では、複数の多翼遠心ファン３５（３５ａ〜３５ｄ）は、駆動モーター３４の軸方向における一方側および他方側の双方に、２つずつ設けられている。多翼遠心ファン３５（３５ａ，３５ｂ）および多翼遠心ファン３５（３５ｃ，３５ｄ）は、駆動モーター３４の位置を中心として左右対称となる位置に配置されている。換言すると、駆動モーター３４は、水平方向（筺体２０の長手方向）において筺体２０の中央寄りの位置に配置され、複数の多翼遠心ファン３５（３５ａ〜３５ｄ）は、水平方向において駆動モーター３４よりも外側の位置に配置されている。
【００２５】
図６は、送風機３３に備えられる複数の多翼遠心ファン３５のうちの１つを示す斜視図である。多翼遠心ファン３５は、環状に形成された枠体３５Ｐ，３５Ｑと、枠体３５Ｑの中央部に立設されたボス３５Ｒと、複数の羽根部３５Ｆとを有する。枠体３５Ｐ，３５Ｑは、軸方向において互いに離間した位置に配置されている。複数の羽根部３５Ｆの各々は、枠体３５Ｐ，３５Ｑによって両端が支持されている。多翼遠心ファン３５は、ボス３５Ｒを介して回転軸３７（図５）に連結される。多翼遠心ファン３５は、回転する複数の羽根部３５Ｆによって、内周側から取り込んだ空気を外周側に送り出す。多翼遠心ファン３５は、遠心力を利用することで、ファンの回転中心側から径方向外側に空気を送り出す。
【００２６】
図７は、送風機３３および熱交換器３８を模式的に示す平面図である。図３〜図５，図７に示すように、本実施の形態の送風機３３は、複数のケーシング３６（３６ａ〜３６ｄ）をさらに有している。複数のケーシング３６（３６ａ〜３６ｄ）の各々は、螺旋形状の流路３６Ｓ（図３，図４）を内側に形成しており、複数の多翼遠心ファン３５（３５ａ〜３５ｄ）の各々の周囲を覆うように配置される。
【００２７】
複数のケーシング３６（３６ａ〜３６ｄ）の各々は、側壁３６Ｗ、通孔３６Ｊ、および開口３６Ｈを有している。側壁３６Ｗおよび通孔３６Ｊは、多翼遠心ファン３５の回転軸（回転軸３７）の方向において、多翼遠心ファン３５を挟んで互いに反対側に位置している。開口３６Ｈは、ケーシング３６の前方側に形成されており、ケーシング３６は、開口３６Ｈが熱交換器３８側に向けて開口するように配置されている。
【００２８】
図７に示すように、複数の多翼遠心ファン３５（３５ａ〜３５ｄ）の各々が複数のケーシング３６（３６ａ〜３６ｄ）の各々によって上記のように囲われていることで、隣り合う２つの多翼遠心ファン３５の間には、ケーシング３６の側壁３６Ｗが位置している。多翼遠心ファン３５が回転することによって通孔３６Ｊから空気が取りこまれ、多翼遠心ファン３５の遠心力によって空気はケーシング３６の前方に向かって吹き出され、開口３６Ｈを通して熱交換器３８に吹き付けられる。熱交換器３８によって加熱あるいは冷却された空気は、後述する吹出口（図８，図９中に示す前方上方吹出部２８Ｈや、図１２，図１３中に示す前方下方吹出部２９Ｈ）を通して機外に吹き出されることとなる。
【００２９】
図３，図４を再び参照して、熱交換器３８は、上部熱交換部３８Ａ，下部熱交換部３８Ｂを含む。上部熱交換部３８Ａおよび下部熱交換部３８Ｂの各々は、複数の冷媒管（管材）と、これらを支持する複数のフィン（板材）とを有する。上部熱交換部３８Ａは全体として、上方から下方に向かうにつれて後方から前方に向かって延在するように傾斜して配置されており、下部熱交換部３８Ｂは全体として、下方から上方に向かうにつれて後方から前方に向かって延在するように傾斜して配置されている。
【００３０】
熱交換器３８は全体として略Ｖ字状の形状を呈しており、屈曲している部分が熱交換器３８のうちの最も前方側に位置するように筺体２０等によって固定されている。熱交換器３８は、送風機３３に前方側から対向するように配置され、送風機３３からの空気を加熱したり冷却したりすることができる。
【００３１】
（開口２７および風向調整部４０）
図３を参照して、上述のように、筺体２０の前面２４の前端部２４Ｔと筺体２０の上面２１の前端部２１Ｆとの間には、開口２７（空間）が形成されている。軸支部４２Ｔは、上面２１の前端部２１Ｆの下方近傍の位置に配置されており、軸支部４３Ｔは、前面２４の前端部２４Ｔのすぐ前方近傍（下方近傍）の位置に配置されている。軸支部４１Ｔは、軸支部４１Ｔと軸支部４３Ｔとの丁度間の位置に配置されている。
【００３２】
上記の開口２７（空間）内に軸支部４１Ｔ，４２Ｔ，４３Ｔが配置されていることによって、筺体２０の前面側には、前側上部開口２８と前側下部開口２９とが形成されている。前側上部開口２８は軸支部４１Ｔと軸支部４２Ｔとの間に形成され、前側下部開口２９は軸支部４１Ｔと軸支部４３Ｔとの間に形成されている。
【００３３】
風向調整部４０は、筺体２０の前面側に形成された開口２７（ここでは前側上部開口２８および前側下部開口２９）を前方側から覆うように配置されている。本実施の形態の風向調整部４０は、可動パネル４１、上部風向板４２および下部風向板４３を含む。可動パネル４１、上部風向板４２および下部風向板４３は、いずれも板状の形状を有しており、筺体２０の長手方向（水平方向）における長さ（横幅）と略同じ長さ分だけ延在している（図１，図２）。
【００３４】
可動パネル４１は、上端４１Ａおよび下端４１Ｂを有しており、可動パネル４１のうちの上端４１Ａと下端４１Ｂとの間の部分は、筺体２０の内部側（背面２３の側）に向かって凹むように、湾曲凹面状に形成されている。可動パネル４１の高さ（上端４１Ａと下端４１Ｂとの間の距離）は、筺体２０の高さｈよりも若干その高さ寸法が大きくなるように設定されている。可動パネル４１のうちの上端４１Ａと下端４１Ｂとの間の位置には、板状の形状を有する支持部４１Ｕが背面（背面２３）の側に向かって突出するように形成されている。
【００３５】
図３は、可動パネル４１の長手方向（水平方向）における略中央の位置の断面形状を示しており、図４は、可動パネル４１の長手方向における端部寄りの位置の断面形状を示している。支持部４１Ｕは、可動パネル４１の長手方向における略中央の位置に少なくとも設けられており（図３参照）、軸支部４１Ｔに連結されている。可動パネル４１は、筺体２０の上下方向（高さ方向）における略中央の位置で軸支部４１Ｔに軸支されることとなる。
【００３６】
可動パネル４１には、このような位置に限られず、複数の支持部４１Ｕが可動パネル４１の長手方向において間隔を空けて並ぶように設けられていてもよい。可動パネル４１は、１つまたは複数の軸支部４１Ｔを介して、矢印ＡＲ１および矢印ＡＲ２に示す方向に揺動可能に軸支されている。
【００３７】
上部風向板４２は、可動パネル４１の高さ寸法よりも短い高さ寸法を有する板状に形成されている。上部風向板４２は、軸支部４２Ｔに連結されており、軸支部４２Ｔを介して揺動可能に軸支されている。下部風向板４３も、可動パネル４１の高さ寸法よりも短い高さ寸法を有する板状に形成されている。下部風向板４３は、軸支部４３Ｔに連結されており、軸支部４３Ｔを介して揺動可能に軸支されている。
【００３８】
（停止状態）
図２〜図４には、空気調和機１００が運転停止の状態を形成している際の様子が図示されている。空気調和機１００が運転状態から運転停止の状態に遷移した時（すなわち運転停止時）には、可動パネル４１および上部風向板４２の各々が回動することによって、可動パネル４１の背面と上部風向板４２の先端４２Ａとが互いに近接する。可動パネル４１および上部風向板４２の各々は、このように回動することで上記の前側上部開口２８を閉塞する位置に配置される。同様に、可動パネル４１および下部風向板４３の各々が回動することによって、可動パネル４１の背面と下部風向板４３の先端４３Ａとが互いに近接する。可動パネル４１および下部風向板４３の各々は、このように回動することで上記の前側下部開口２９を閉塞する位置に配置される。
【００３９】
（冷房運転時または送風運転時）
図８および図９は、それぞれ、空気調和機１００が冷房運転または送風運転の状態を形成している際の様子を示す斜視図および側面図である。図１０は、図３に対応しており、空気調和機１００が冷房運転または送風運転の状態を形成している際の様子を示す断面図である。
【００４０】
図８〜図１０に示すように、空気調和機１００が冷房運転または送風運転の状態に遷移する際（すなわち冷房運転時または送風運転時）には、可動パネル４１および下部風向板４３が下方側に回動する。可動パネル４１の背面は、側壁２５の下部側の前端２５Ｂ（図９）と、これと同様の構成を有する側壁２６の下部側の前端（図示せず）と、下部風向板４３とに近接し、前側下部開口２９（図１０）が閉塞されることとなる。
【００４１】
一方で、可動パネル４１が下方側に回動するとともに上部風向板４２が上方側に回動することで、開口２７のうちの前側上部開口２８が開放される。可動パネル４１の上端４１Ａと上部風向板４２の先端４２Ａとの間（筺体２０の前方上方）に、前方上方吹出部２８Ｈが形成される。詳細は後述するが、この状態では、後述の前方下方吹出部２９Ｈ（図１３，図１４）は閉塞されている。この状態で、駆動モーター３４（図５）によって複数の多翼遠心ファン３５が回転する。
【００４２】
吸込口２２Ｈ、エアフィルター３１および空気清浄フィルター３２を通して筺体２０の内部に空気が取りこまれる。空気は、熱交換器３８および開口（前側上部開口２８）を通過し、風向調整部４０（ここでは可動パネル４１および上部風向板４２）によって風向きを調整された状態で、風向調整部４０の上部側に形成されている前方上方吹出部２８Ｈを通して機外に吹き出される（図９に示す矢印ＤＲ１０）。
【００４３】
図１１に示すように、前方上方吹出部２８Ｈから吹き出された空気は、天井１１に沿って進行した後、空気調和機１００に対向している側壁１４〜１６に沿って下降移動する。空気はさらに、床面１３に沿って空気調和機１００の方に戻るように進行する。空気調和機１００の下面２２に設けられた吸込口２２Ｈに向かって、空気は側壁１２に沿って上昇する。冷房運転時には、このような空気の流れにより、部屋１０の全体が冷やされることとなる。空気調和機１００においては、このような循環気流を部屋１０の中に形成することができ、効率のよい冷房効果や送風効果を得ることができる。
【００４４】
（暖房運転時）
図１２および図１３は、それぞれ、空気調和機１００が暖房運転の状態を形成している際の様子を示す斜視図および側面図である。図１４は、図３に対応しており、空気調和機１００が暖房運転の状態を形成している際の様子を示す断面図である。
【００４５】
図１２〜図１４に示すように、空気調和機１００が暖房運転の状態に遷移する際（すなわち暖房運転時）には、可動パネル４１および上部風向板４２が上方側に回動する。可動パネル４１の背面は、側壁２５の上部側の前端２５Ａ（図１３）と、これと同様の構成を有する側壁２６の上部側の前端（図示せず）と、上部風向板４２とに近接し、前側上部開口２８（図１４）が閉塞されることとなる。
【００４６】
一方で、可動パネル４１が上方側に回動するとともに下部風向板４３が下方側に回動することで、開口２７のうちの前側下部開口２９が開放される。可動パネル４１の下端４１Ｂと下部風向板４３の先端４３Ａとの間（筺体２０の前方下方）に、前方下方吹出部２９Ｈが形成される。この状態では、上述の前方上方吹出部２８Ｈ（図９，図１０）は閉塞されている。この状態で、駆動モーター３４（図５）によって複数の多翼遠心ファン３５が回転する。
【００４７】
吸込口２２Ｈ、エアフィルター３１および空気清浄フィルター３２を通して筺体２０の内部に空気が取りこまれる。空気は、熱交換器３８および開口（前側下部開口２９）を通過し、風向調整部４０（ここでは可動パネル４１および下部風向板４３）によって風向きを調整された状態で、風向調整部４０の下部側に形成されている前方下方吹出部２９Ｈを通して機外に吹き出される（図１３に示す矢印ＤＲ２０）。
【００４８】
図１５に示すように、前方下方吹出部２９Ｈから吹き出された空気は、側壁１２に沿って下降移動した後、床面１３に沿って進行する。空気はさらに、側壁１４〜１６に沿って上昇移動する。このような空気の流れにより、部屋１０の全体が暖められることとなる。空気調和機１００においては、このような気流を部屋１０の中に形成することができ、効率のよい暖房効果を得ることができる。
【００４９】
（作用および効果）
空気調和機１００によれば、吸込口２２Ｈが筺体２０の下面２２に形成されており、吸込口２２Ｈから取りこまれた空気はエアフィルター３１および空気清浄フィルター３２を通過する。したがって、空気清浄を常に行ないながら、より少ない消費エネルギーで空気調和を行なうことができる。また、送風機３３は、水平方向に並んで配置された複数の多翼遠心ファン３５によって送風を実現する。したがって、奥行き寸法を小さくすることで従来に比して小型化を図ることが可能であり、圧迫感が小さくなり、室内環境や美観向上などへの制限を軽減することができる。
【００５０】
また本実施の形態の空気調和機１００においては、可動パネル４１が、筺体２０の水平方向および（上下方向）高さ方向における略中央の位置で軸支部４１Ｔによって軸支されている。当該構成によれば、可動パネル４１によって上下両開き式の吹出口を筺体２０の前方上方および前方下方に形成することができ、たとえば上下の軸を切り替えたりせずとも、あるいはロック機構などの複雑な構造を用いなくても、構造上に簡素な構成にて、上下両開き式の吹出口の開閉を実現することが可能となる。
【００５１】
［実施の形態２］
図３を参照して、好適な実施の形態として、多翼遠心ファン３５の直径をＤ［ｍｍ］とし、筺体２０の高さをｈ［ｍｍ］とすると、０．９×ｈ≦２×Ｄ≦１．１×ｈの関係が成立していることが好ましい。さらに好適な実施の形態としては、筺体２０の奥行きをＬ［ｍｍ］とした場合、０．９×Ｌ≦ｈ＋１／２×Ｄ≦１．１×Ｌの関係が成立していることが好ましい。
【００５２】
これらの構成によれば、筺体２０の奥行き寸法が大きくなることを抑制しながらも、空気清浄フィルター３２において生じる圧損に打ち勝つことができる送風を実現することが可能となり、省エネルギー性の向上とともに、圧迫感が小さくなり、室内環境や美観向上などへの制限をさらに軽減することができる。
【００５３】
［実施の形態３］
図４に示すように、運転停止時における可動パネル４１の背面から前側上部開口２８の上端部（ここでは軸支部４２Ｔの位置）までの最短距離をａとする。また、運転停止時における可動パネル４１の背面から前側下部開口２９の下端部（ここでは軸支部４３Ｔの位置）までの最短距離をｂとする。
【００５４】
図１０に示すように、冷房運転時における可動パネル４１からの背面から前側上部開口２８の上端部（ここでは軸支部４２Ｔの位置）までの最短距離をＬ１とする。図１４に示すように、暖房運転時における可動パネル４１の背面から前側下部開口２９の下端部（ここでは軸支部４３Ｔの位置）までの最短距離をＬ２とする。
【００５５】
以上のように各値を定義した場合には、次の式（１）および式（２）の関係が成立していることが好ましい。
０．９×（ａ＋ｂ）≦Ｌ１≦１．１×（ａ＋ｂ）  ・・・式（１）
０．９×（ａ＋ｂ）≦Ｌ２≦１．１×（ａ＋ｂ）  ・・・式（２）
上記の構成が採用されていれば、より簡素な構成にて上下両開き式の吹出口を筺体２０の前方上方および前方下方に形成することができるとともに、空気調和機１００がエアコンとして用いられた場合の気流制御をより最適なものにすることができ、構造上にもより簡素な構成にて上下両開き式の吹出口の開閉を実現することが可能となる。
【００５６】
［実施の形態４］
図１０を参照して、好適な実施の形態として、上部風向板４２は、前側上部開口２８の上端部の位置において軸支されており、冷房運転時には、上部風向板４２は軸支されている部分（軸支部４２Ｔ）を中心として上方側に回動することで、前側上部開口２８を開放し、軸支部４２Ｔと上部風向板４２の先端４２Ａとを結ぶ直線が、水平方向ＡＰに対して前方下方２０°以下の角度θ１となるように配置されているとよい。当該構成によれば、冷房時により好適な気流を前方上方吹出部２８Ｈから送出することができる。たとえば天井に結露が生じてしまうといったこともより一層抑制可能となる。
【００５７】
［実施の形態５］
図１４を参照して、好適な実施の形態として、下部風向板４３は、前側下部開口２９の下端部の位置において軸支されており、暖房運転時には、下部風向板４３は軸支されている部分（軸支部４３Ｔ）を中心として下方側に回動することで、前側下部開口２９を開放し、軸支部４３Ｔと下部風向板４３の先端４３Ａとを結ぶ直線が、鉛直方向ＢＰに対して前方下方４５°以下の角度θ２となるように配置されているとよい。当該構成によれば、暖房時により好適な気流を前方下方吹出部２９Ｈから送出することができる。たとえば浮力によって暖気が床面に到達しにくいといったことを抑制することができ、効率のよい暖房効果を得ることが可能となる。
【００５８】
また、下部風向板４３は、暖房運転時には、前側下部開口２９を通して吹き出された空気が直ちに吸込口２２Ｈに吸込まれるショートサーキット現象は、下部風向板４３によって抑制されるように構成されるとよい。暖房時により好適な気流を送出することが可能となり、筺体２０の温度が不必要に上昇することも抑制され、省エネルギー性をより向上させることが可能となる。
【００５９】
［実施の形態６］
図１６は、上述の実施の形態における図５に対応しており、実施の形態６における空気調和機に備えられる送風機を示す斜視図である。上述の実施の形態（図５）においては、４つの多翼遠心ファン３５（３５ａ〜３５ｄ）が、１つの駆動モーター３４によって駆動される。
【００６０】
これに対して本実施の形態（図１６）においては、２つの多翼遠心ファン３５（３５ａ，３５ｂ）が、１つの駆動モーター３４Ａに回転軸３７Ａを介して連結され、駆動モーター３４Ａと同軸状となるように水平方向に並んで配置されている。２つの多翼遠心ファン３５（３５ａ，３５ｂ）が、１つの駆動モーター３４Ａによって駆動される。
【００６１】
同様に、２つの多翼遠心ファン３５（３５ｃ，３５ｄ）が、１つの駆動モーター３４Ｂに回転軸３７Ｂを介して連結され、駆動モーター３４Ｂと同軸状となるように水平方向に並んで配置されている。２つの多翼遠心ファン３５（３５ｃ，３５ｄ）が、１つの駆動モーター３４Ｂによって駆動される。
【００６２】
複数の多翼遠心ファン３５（３５ａ〜３５ｄ）および駆動モーター３４Ａ，３４Ｂは、同軸状となるように水平方向に並んで配置されている。駆動モーター３４Ａ，３４Ｂは、水平方向（筺体２０の長手方向）において筺体２０の中央寄りの位置に配置され、相互に隣り合っている。多翼遠心ファン３５（３５ａ，３５ｂ）は、水平方向において駆動モーター３４Ａよりも外側の位置に配置されており、多翼遠心ファン３５（３５ｃ，３５ｄ）は、水平方向において駆動モーター３４Ｂよりも外側の位置に配置されている。
【００６３】
以上のような構成が採用されている場合には、駆動モーター３４Ａによって駆動される多翼遠心ファン３５（３５ａ，３５ｂ）と、駆動モーター３４Ｂによって駆動される多翼遠心ファン３５（３５ｃ，３５ｄ）とについて、回転数、風量、吹き出し風向などを異ならせたり、温度や風速の異なる風を左右で吹き分けたりすることが容易に実現でき、使用者に対してよりきめ細かく空気調和された風を提供することが可能となる。
【００６４】
［実施の形態７］
図１７は、実施の形態７における空気調和機に備えられる送風機を示す平面図である。図１８は、実施の形態７における空気調和機に備えられる送風機の一部（駆動モーター３４Ａ、多翼遠心ファン３５およびケーシング３６（３６ａ，３６ｂ））を示す正面図である。本実施の形態は、送風機に備えられるケーシング３６の構成において、上述の他の実施の形態と相違している。
【００６５】
複数のケーシング３６（３６ａ〜３６ｄ）の各々が、螺旋形状の流路３６Ｓ（図３，図４）を内側に形成しており、複数の多翼遠心ファン３５（３５ａ〜３５ｄ）の各々の周囲を覆うように配置されているという点は、本実施の形態と上述の各実施の形態とで共通している（図１７参照）。また、複数のケーシング３６（３６ａ〜３６ｄ）の各々が、熱交換器３８側に向けて開口するように配置されているという点も、本実施の形態と上述の各実施の形態とで共通している（図２２参照）。
【００６６】
図１８〜図２２に示すように、一方で本実施の形態においては、ケーシング３６（３６ａ〜３６ｄ）の各々における熱交換器３８側に、枠部３６Ｆおよび複数のガイドフィン３６Ｔが設けられ、多翼遠心ファン３５の軸方向における一方側に通孔３６Ｙ（図２０）が設けられており、多翼遠心ファン３５の軸方向における他方側に通孔３６Ｊ（図２１）が設けられている。通孔３６Ｙおよび通孔３６Ｊは、多翼遠心ファン３５の回転軸の方向において、多翼遠心ファン３５を挟んで互いに反対側に位置している（図２２）。
【００６７】
枠部３６Ｆは、四角枠状に形成され、ケーシング３６の前面側において、フランジ状に外側に延出する形状を有している（図１８，図１９）。枠部３６Ｆの内周面の形状は、多翼遠心ファン３５の下流側（前面側）に形成されている開口３６Ｈの流路断面積が、上流側から下流側に向かうにつれて徐々に大きくなるように形成されている。
【００６８】
複数のガイドフィン３６Ｔは、多翼遠心ファン３５の回転軸（回転軸３７Ａ，３７Ｂ）に対して垂直な方向に沿って延びるように、枠部３６Ｆの内側で間隔を空けて並んで配置されている。本実施の形態では、計５枚のガイドフィン３６Ｔが、枠部３６Ｆの内側に配置されている。５枚のうちの中央に位置するガイドフィン３６Ｔは、平板状の形状を有している。
【００６９】
平板状のガイドフィン３６Ｔの両外側に位置する２枚のガイドフィン３６Ｔは、上流側から下流側に向かうにつれて外側に向かって湾曲するように形成されている。それらの両外側に位置する２枚のガイドフィン３６Ｔも、上流側から下流側に向かうにつれて外側に向かって湾曲するように形成されている。外側に配置されたガイドフィン３６Ｔは、それらの内側に配置されたガイドフィン３６Ｔに比べて、より急峻に外側に向けて湾曲するように形成されている。
【００７０】
図２２に示すように、以上のように構成される複数のガイドフィン３６Ｔは、複数の多翼遠心ファン３５（３５ａ〜３５ｄ）の各々と熱交換器３８との間に形成される送風経路を、多翼遠心ファン３５の回転軸（回転軸３７Ａ，３７Ｂ）に対して垂直な方向に分割する。当該構成によれば、熱交換器３８に対して長手方向においてより均一に送風することができ、より省エネルギー性の高い空気清浄フィルター３２を搭載した空気調和機とすることができる。
【００７１】
［実施の形態８］
図２３〜図２８を参照して、実施の形態８における空気調和機１０１について説明する。図２３は、空気調和機１０１および室外熱交換器２００を示す斜視図である。図２４は、空気調和機１０１を示す正面図である。説明上の便宜のため、図２４中には風向調整部４０（図１，図２等参照）は図示していない（図２５〜図２７においても同様である）。
【００７２】
図２５は、図２３，図２４中のＸＸＶ−ＸＸＶ線に沿った矢視断面図である。図２６は、空気調和機１０１を示す側面図である。図２７は、空気調和機１０１の分解した状態を示す斜視図である。図２８は、空気調和機１０１に備えられる熱交換器３８およびドレンパンユニット５０の分解した状態を示す斜視図である。本実施の形態８と上述の各実施の形態１〜７とは、以下の点において相違している。
【００７３】
（筺体２０）
本実施の形態８においては、空気調和機１０１の筺体２０が、天井（図１１における天井１１を参照）に面するように配置される上面２１と、床面（同図の床面１３を参照）側に位置する下面２２と、側壁（同図の側壁１２を参照）側に配置される背面２３と、背面２３とは反対側に位置する前面２４と、背面２３から前面２４に向かって右側に位置する右面２６Ｓと、背面２３から前面２４に向かって左側に位置する左面２５Ｓとを有している。右面２６Ｓは、側壁２６の外表面によって形成されており、左面２５Ｓは側壁２５の外表面によって形成されている。
【００７４】
本実施の形態８においては、筺体２０の高さをｈ［ｍｍ］（図２５）とし、筺体２０の横幅をＷ［ｍｍ］（図２４参照）とすると、Ｗ≧４×ｈの関係が成立している。筺体２０の高さｈとは、筺体２０の上面２１を構成している部分のうちの鉛直方向における最も上方に位置する部分と、筺体２０の下面２２を構成している部分のうちの鉛直方向における最も下方に位置する部分との間の、鉛直方向における距離である。また、筺体２０の横幅Ｗとは、筺体２０の左面２５Ｓを構成している部分のうちの水平方向における最も左側に位置する部分と、筺体２０の右面２６Ｓを構成している部分のうちの水平方向における最も右側に位置する部分との間の、水平方向における距離である。
【００７５】
上述の各実施の形態１〜７においては、筺体２０の上面２１側は閉塞されており、筺体２０の下面２２に吸込口２２Ｈ（図３，図４）が形成されている。一方で本実施の形態９においては、図２３および図２５に示すように、筺体２０の上面２１側は閉塞されておらず、上面２１に吸込口２１Ｈが形成されている。吸込口２１Ｈは、上面２１のうちの背面２３寄りの部分に設けられている。筺体２０の下面２２にも吸込口２２Ｈ（図２５）が形成されている。また、上面２１の前端部２１Ｆのさらに前方の位置に、水平方向（左右方向）に延びる前面カバー２１Ｃが設けられている。
【００７６】
筺体２０の内部には、エアフィルター３１および空気清浄フィルター３２に加えて、エアフィルター３１Ａおよび空気清浄フィルター３２Ａがさらに設けられている。エアフィルター３１Ａは、上面２１側に設けられた吸込口２１Ｈの下方において吸込口２１Ｈを筺体２０の内側から塞ぐように配置されており、空気清浄フィルター３２Ａは、エアフィルター３１Ａを下方側から覆うように配置されている。空気清浄フィルター３２Ａも、たとえばＨＥＰＡフィルターから構成されている。
【００７７】
本実施の形態の空気調和機１０１においては、吸込口２２Ｈ（図２５）、エアフィルター３１（図２５）および空気清浄フィルター３２（図２５）を通して筺体２０の内部に空気が取りこまれるだけでなく、吸込口２１Ｈ、エアフィルター３１Ａおよび空気清浄フィルター３２Ａを通して筺体２０の内部に空気が取り込まれる。
【００７８】
空気はその後、熱交換器３８および開口２７（前側上部開口２８または前側下部開口２９）を通過し、風向調整部４０（図２３）によって風向きを調整された状態で、前方上方吹出部２８Ｈ（図１０）または前方下方吹出部２９Ｈ（図１４）を通して機外に吹き出される。本実施の形態８の空気調和機１０１によれば、上述の各実施の形態１〜７における空気調和機に比べて風量を増大させることができる。上面２１側を閉塞せずに上面２１側に吸込口２１Ｈを設けるという技術的思想は、上述の各実施の形態１〜７で説明した思想に組み合わせて実施することも可能である。
【００７９】
（熱交換器３８）
図２４，図２７に示すように、本実施の形態における熱交換器３８は、熱交換器３８Ｍ（左側熱交換器）および熱交換器３８Ｎ（右側熱交換器）を含んでいる。熱交換器３８Ｍは、筺体２０の内部の左面２５Ｓ側の位置に配置され、熱交換器３８Ｎは、筺体２０の内部の右面２６Ｓ側の位置に配置される。熱交換器３８Ｍ，３８Ｎは、左右方向において相互に並んでおり、送風機３３の前方または前方上方に配置されることができる。
【００８０】
（熱交換器３８Ｍ）
熱交換器３８Ｍは、複数のフィン３９Ｆ（図２５も参照）と、冷媒管３９Ｓ（管材）とを有している。複数のフィン３９Ｆは、いずれも平板状の形状を有しており、互いに平行な位置関係となるように、多翼遠心ファン３５の回転中心に対して平行な方向に並べられている。冷媒管３９Ｓは、複数のフィン３９Ｆに取り付けられている。熱交換器３８Ｍ（左側熱交換器）は、熱交換器３８Ｍ（左側熱交換器）の右側の位置に、室外熱交換器２００（図２３）に接続される第１冷媒管配管部３９ＭＳを有している。第１冷媒管配管部３９ＭＳは、熱交換器３８Ｍに備えられた冷媒管３９Ｓと室外熱交換器２００とを連通させる。
【００８１】
（熱交換器３８Ｎ）
熱交換器３８Ｎも、複数のフィン３９Ｆ（図２５も参照）と、冷媒管３９Ｓ（管材）とを有している。複数のフィン３９Ｆは、いずれも平板状の形状を有しており、互いに平行な位置関係となるように、多翼遠心ファン３５の回転中心に対して平行な方向に並べられている。冷媒管３９Ｓは、複数のフィン３９Ｆに取り付けられている。熱交換器３８Ｎ（右側熱交換器）は、熱交換器３８Ｎ（右側熱交換器）の左側の位置に、室外熱交換器２００（図２３）に接続される第２冷媒管配管部３９ＮＳを有している。第２冷媒管配管部３９ＮＳは、熱交換器３８Ｎに備えられた冷媒管３９Ｓと室外熱交換器２００とを連通させる。
【００８２】
本実施の形態においては、第１冷媒管配管部３９ＭＳと第２冷媒管配管部３９ＮＳとは、筺体２０の左右方向における中央寄りの位置で相互に束ねられており、この中央寄りの位置から配管束３９Ｔとして背面２３（図２５参照）側に向かって延びている。このような構成に限られず、第１冷媒管配管部３９ＭＳと第２冷媒管配管部３９ＮＳとは、筺体２０の左右方向における中央寄りの位置で合流し、合流した状態でこの中央寄りの位置から背面２３に向かって延びていてもよい。
【００８３】
（ドレンパンユニット５０）
図２５，図２７および図２８に示すように、熱交換器３８（熱交換器３８Ｍ，３８Ｎ）の下方には、熱交換器３８から滴下したドレン水を受けるドレンパンユニット５０が設けられている。図２８に示すように、本実施の形態のドレンパンユニット５０は、左側受け部５１、右側受け部５２、中央受け部５３およびドレン配管部５５を有している。
【００８４】
左側受け部５１、中央受け部５３および右側受け部５２は、熱交換器３８Ｍ，３８Ｎが並んでいる方向（ここでは筺体２０の延びている方向に同じ方向）においてこの順に並んでいる。左側受け部５１の内表面５１Ｓ、右側受け部５２の内表面５２Ｓおよび中央受け部５３の内表面５３Ｓは、いずれも上方側に向かって開口する凹状の形状を有しており、内表面５１Ｓ，５２Ｓ，５３Ｓによって凹溝部５４が構成されている。ドレンパンユニット５０に設けられた凹溝部５４は、熱交換器３８Ｍ，３８Ｎの長手方向（ここでは筺体２０の延びている方向に同じ方向）に沿って延在する形状を有しており、熱交換器３８Ｍ，３８Ｎからのドレン水を受けることができる。
【００８５】
ドレン配管部５５は、第１端部５５Ａおよび第２端部５５Ｂを有している。第１端部５５Ａが凹溝部５４に接続されており、第２端部５５Ｂが室外に連通している。ドレン配管部５５は、凹溝部５４が受けたドレン水を第１端部５５Ａおよび第２端部５５Ｂを通過させて室外に排出する。
【００８６】
凹溝部５４のうちの内表面５１Ｓ，５２Ｓ，５３Ｓは、熱交換器３８Ｍ，３８Ｎに対向するように配置され、熱交換器３８Ｍ，３８Ｎからのドレン水を受ける表面部分である。この表面部分（内表面５１Ｓ，５２Ｓ，５３Ｓ）は、筺体２０の左右方向における両端５１Ｔ，５２Ｔの位置で上下方向の高さが最も高くなり、且つ、筺体２０の左右方向における中央寄りの位置で上下方向の高さが最も低くなる略Ｖ字状の形状を呈している。
【００８７】
ドレン配管部５５の第１端部５５Ａは、筺体２０の左右方向における中央寄りの位置（ここでは中央受け部５３が設けられている位置）にて凹溝部５４に接続されている。ドレン配管部５５は、筺体２０の左右方向における中央寄りの位置で第１端部５５Ａから背面２３側に向かって延びている。本実施の形態においては、好適な構成として、ドレン配管部５５、第１冷媒管配管部ＭＳおよび第２冷媒管配管部ＮＳは、筺体２０の左右方向における中央寄りの位置で束ねられて、背面２３側に向かって延びている。
【００８８】
上記のようなドレンパンユニット５０を備えた空気調和機１０１によれば、筺体２０の横幅Ｗが筺体２０の高さｈの４倍以上になるような長尺状の筺体２０であるにもかかわらず、左側受け部５１の両端の上下方向における高低差に対して、左側受け部５１の水平方向における距離を、筺体２０の全長の半分にできる。右側受け部５２についても同様に、右側受け部５２の両端の上下方向における高低差に対して、右側受け部５２の水平方向における距離を、筺体２０の全長の半分にできる。すなわち、凹溝部５４を構成している左側受け部５１の内表面５１Ｓおよび右側受け部５２の内表面５２Ｓに、十分な傾斜を持たせることができる。
【００８９】
これにより、空気調和機１０１の設置誤差の許容範囲を十分に確保することが可能となる。たとえば、空気調和機１０１の設置の際に空気調和機（ドレンパンユニット５０）が少し傾いた状態で設置された場合であっても、ドレンパンユニット５０の凹溝部５４で受けたドレン水を滞りなくすみやかにドレン配管部５５を通して室外に排出することが可能となる。
【００９０】
また、本実施の形態の空気調和機１０１においては、ドレン配管部５５は、筺体２０の左右方向における中央寄りの位置で第１端部５５Ａから背面側に向かって延びている。空気調和機１０１が、筺体２０の左側（左面２５Ｓ）が部屋の壁面に隣接するように設置された場合であっても、空気調和機１０１の背面側の中央の位置から部屋の壁面に向かって配管を這わせるだけでよい。同様に、空気調和機１０１が、筺体２０の右側（右面２６Ｓ）が部屋の壁面に隣接するように設置された場合であっても、空気調和機１０１の背面側の中央の位置から部屋の壁面に向かって配管を這わせるだけでよい。したがって、空気調和機１０１の横幅Ｗが１ｍ以上であるような場合であっても、製品や設置のコストがかさむことを抑制可能となり、空気調和機１０１としての効率（たとえば熱交換効率）が低下することも抑制可能となる。
【００９１】
上述のとおり、本実施の形態においては好適な構成として、第１冷媒管配管部３９ＭＳと第２冷媒管配管部３９ＮＳとが、筺体２０の左右方向における中央寄りの位置で相互に束ねられており、この中央寄りの位置から配管束３９Ｔとして背面２３（図２５参照）側に向かって延びている。この構成によると、熱交換器３８Ｍ，３８Ｎの冷媒管３９Ｓを中央に集約することができ、第１冷媒管配管部３９ＭＳと第２冷媒管配管部３９ＮＳとの取り回しを容易化することができ、その分のスペース上や作業場の効率の向上が図れる。このような構成に限られず、第１冷媒管配管部３９ＭＳと第２冷媒管配管部３９ＮＳとは、筺体２０の左右方向における中央寄りの位置で合流し、合流した状態でこの中央寄りの位置から背面２３に向かって延びていてもよい。この場合も同様な効果が得られる。
【００９２】
上述のとおり、本実施の形態においてはさらに好適な構成として、ドレン配管部５５、第１冷媒管配管部ＭＳおよび第２冷媒管配管部ＮＳは、筺体２０の左右方向における中央寄りの位置で束ねられて、背面２３側に向かって延びている。この構成によると、ドレン配管部５５、第１冷媒管配管部３９ＭＳおよび第２冷媒管配管部３９ＮＳの取り回しを容易化することができ、その分のスペース上や作業場の効率のさらなる向上を図ることが可能となる。
【００９３】
（実施の形態８の変形例）
上述の実施の形態８の中で述べた構成は、上述の実施の形態１〜７で述べた構成と組み合わせて実施することも可能であるし、上述の実施の形態１〜７で述べた構成とは独立して実施することも可能である。上述の実施の形態８の中で述べた構成を採用する場合には、たとえば、実施の形態１〜７で説明したような構成を備えた風向調整部は必須ではない。吸込口２２Ｈ（図２，３参照）は下面２２の側に形成されていなくてもよく、吸込口２２Ｈは、上面２１および／または側壁２５，２６の側に形成されていてもよい。吹出口としては、前方上方吹出部２８Ｈ（図９）および前方下方吹出部２９Ｈ（図１３）に示す構成に限られず、吹出口は、下面２２の側に形成されていてもよく、上面２１および／または側壁２５，２６の側に形成されていてもよい。
【００９４】
側壁２５に吸込口を設ける場合には、側壁２５の吸込口を筺体２０の内側から覆うようにエアフィルターを配置し、そのエアフィルターの内側に空気清浄フィルターを配置するとよい。側壁２６に吸込口を設ける場合には、側壁２６の吸込口を筺体２０の内側から覆うようにエアフィルターを配置し、そのエアフィルターの内側に空気清浄フィルターを配置するとよい。
【００９５】
エアフィルター３１については、吸込口２２Ｈの上方に配置されていなくてもよい。エアフィルター３１は、筺体２０の内部の側から吸込口２２Ｈを覆うように配置されていれば、たとえばエアフィルター３１は吸込口２２Ｈの下方や側方に配置されていても構わない。空気清浄フィルター３２についても同様に、エアフィルター３１の上方に配置されていなくてもよい。空気清浄フィルター３２は、筺体２０の内部の側からエアフィルター３１を覆うように配置されていれば、たとえば空気清浄フィルター３２はエアフィルター３１の下方や側方に配置されていても構わない。送風機３３は、筺体２０の内部に配置されていれば、空気清浄フィルター３２の上方に限られず、たとえば空気清浄フィルター３２の下方や側方に配置されていても構わない。
【００９６】
実施の形態８の変形例の構成が採用された空気調和機であっても、空気清浄を常に行ないながらより少ない消費エネルギーで空気調和を行なうことができるとともに、従来に比して小型化を図ることが可能である。
【００９７】
以上、実施の形態について説明したが、上記の開示内容はすべての点で例示であって制限的なものではない。本発明の技術的範囲は請求の範囲によって示され、請求の範囲と均等の意味および範囲内でのすべての変更が含まれることが意図される。
【符号の説明】
【００９８】
１０  部屋、１１  天井、１２，１４，１６，２５，２６，３６Ｗ  側壁、１３  床面、２０  筺体、２１  上面、２１Ｃ  前面カバー、２１Ｆ，２４Ｔ  前端部、２１Ｈ，２２Ｈ  吸込口、２２  下面、２３  背面、２４  前面、２５Ａ，２５Ｂ  前端、２５Ｓ  左面、２６Ｓ  右面、２７，３６Ｈ  開口、２８  前側上部開口、２８Ｈ  前方上方吹出部、２９  前側下部開口、２９Ｈ  前方下方吹出部、３１，３１Ａ  エアフィルター、３２，３２Ａ  空気清浄フィルター、３３  送風機、３４，３４Ａ，３４Ｂ  駆動モーター、３５  多翼遠心ファン、３５Ｆ  羽根部、３５Ｐ，３５Ｑ  枠体、３５Ｒ  ボス、３６  ケーシング、３６Ｆ  枠部、３６Ｊ，３６Ｙ  通孔、３６Ｓ  流路、３６Ｔ  ガイドフィン、３７，３７Ａ，３７Ｂ  回転軸、３８，３８Ｍ，３８Ｎ  熱交換器、３８Ａ  上部熱交換部、３８Ｂ  下部熱交換部、３９Ｆ  フィン、３９ＭＳ，ＭＳ  第１冷媒管配管部、３９ＮＳ，ＮＳ  第２冷媒管配管部、３９Ｓ  冷媒管、３９Ｔ  配管束、４０  風向調整部、４１  可動パネル、４１Ａ  上端、４１Ｂ  下端、４１Ｔ，４２Ｔ，４３Ｔ  軸支部、４１Ｕ  支持部、４２  上部風向板、４２Ａ，４３Ａ  先端、４３  下部風向板、５０  ドレンパンユニット、５１  左側受け部、５１Ｓ，５２Ｓ，５３Ｓ  内表面、５１Ｔ，５２Ｔ  両端、５２  右側受け部、５３  中央受け部、５４  凹溝部、５５  ドレン配管部、５５Ａ  第１端部、５５Ｂ  第２端部、１００，１０１  空気調和機、２００  室外熱交換器、Ｗ  横幅、ｈ  高さ。
【図１】
2019016981.tif 000003
【図２】
2019016981.tif 000004
【図３】
2019016981.tif 000005
【図４】
2019016981.tif 000006
【図５】
2019016981.tif 000007
【図６】
2019016981.tif 000008
【図７】
2019016981.tif 000009
【図８】
2019016981.tif 000010
【図９】
2019016981.tif 000011
【図１０】
2019016981.tif 000012
【図１１】
2019016981.tif 000013
【図１２】
2019016981.tif 000014
【図１３】
2019016981.tif 000015
【図１４】
2019016981.tif 000016
【図１５】
2019016981.tif 000017
【図１６】
2019016981.tif 000018
【図１７】
2019016981.tif 000019
【図１８】
2019016981.tif 000020
【図１９】
2019016981.tif 000021
【図２０】
2019016981.tif 000022
【図２１】
2019016981.tif 000023
【図２２】
2019016981.tif 000024
【図２３】
2019016981.tif 000025
【図２４】
2019016981.tif 000026
【図２５】
2019016981.tif 000027
【図２６】
2019016981.tif 000028
【図２７】
2019016981.tif 000029
【図２８】
2019016981.tif 000030
【国際調査報告】
2019016981.tif 000031
2019016981.tif 000032
2019016981.tif 000033
2019016981.tif 000034